(57)【特許請求の範囲】
【請求項１】
中心軸線に沿って延び且つ導入管状器官内へ挿入される管状体を備え、該管状体の周壁に側孔が設けられており、管状体の側孔を通して前記導入管状器官から分岐する側枝管状器官内へ医療器具を導入させることができる側孔付き導入補助器具であって、
前記管状体が、先端部と、本体部と、該先端部と本体部との間に設けられており、第１の湾曲部と前記中心軸線に対して該第１の湾曲部と反対側に湾曲する第２の湾曲部とを含み且つ前記測孔から延出する前記医療器具に対して反力に抗するためのバックアップ力を提供するバックアップ提供部とを有し、前記側孔が前記第１の湾曲部又は前記第２の湾曲部に設けられ、前記第１の湾曲部と前記第２の湾曲部は、前記測孔が前記側枝管状器官の入口に位置するように前記導入管状器官内に前記管状体を配置したときに前記第１の湾曲部と前記第２の湾曲部の両方が前記導入管状器官の内壁と当接する当接箇所を生じるように形成されており、前記測孔が前記第１の湾曲部又は前記第２の湾曲部において前記第１の湾曲部の前記当接箇所と前記第２の湾曲部の前記当接箇所との間に位置するように設けられていることを特徴とする側孔付き導入補助器具。
【請求項２】
前記第１の湾曲部が前記第２の湾曲部よりも前記管状体の前記先端側に設けられており、前記側孔が前記第１の湾曲部に設けられている、請求項１に記載の側孔付き導入補助器具。
【請求項３】
前記側孔付き導入補助器具は、シースイントロデューサ、ガイディングカテーテル又は狭窄部貫通用カテーテルである、請求項１又は請求項２に記載の側孔付き導入補助器具。
【発明の詳細な説明】
【技術分野】
【０００１】
本発明は、人体の管状器官内へ挿入される管状体を備え、該管状体を通して前記管状器官内へ医療器具を導入させることができる導入補助器具に関する。
【背景技術】
【０００２】
血管等の人体の管状器官内の手術では、特許文献１に記載のようなシースイントロデューサや特許文献２に記載のようなガイディングカテーテルなどの導入補助器具を管状器官内に挿入、留置後に、導入補助器具の内部通路内を通して病変部位に治療用カテーテルなどの治療器具を導入する。
【０００３】
管状器官内に留置された導入補助器具を通して病変部位まで治療器具を導入する際には、最初に、管状器官内に留置された導入補助器具の内部通路内に治療器具用ガイドワイヤを挿入して、その先端を病変部位付近まで到達させた後、治療器具用ガイドワイヤの基端部を治療用カテーテルなどの治療器具の先端に挿入し、治療器具を治療器具用ガイドワイヤに沿って病変部位まで案内する。このとき、治療器具用ガイドワイヤや治療器具に基端部側（医師の手元の操作側）から与えられる押す力をその先端部に伝達させることにより、治療器具用ガイドワイヤや治療器具を前進させる。
【０００４】
導入補助器具を挿入した血管（以下、「導入血管」と記載する。）から分岐する側枝血管に病変部位がある場合、例えば、特許文献２に記載のように、先端部と本体部との間に、導入補助器具の先端を標的となる側枝血管の入口へ容易に向けて配置できるような形状に予め形成された湾曲部を有した導入補助器具を用いて、導入補助器具の先端を側枝血管の入口へ向けて配置した後、導入補助器具の先端から治療器具用ガイドワイヤや治療器具（以下、ガイドワイヤ等と記載する。）を延出させ、側枝血管内に挿入して治療を行う。また、側枝血管に狭窄部位があると、ガイドワイヤ等の先端部が狭窄部を通過する際に、ガイドワイヤ等が反力を受け、受けた反力が導入補助器具に作用する。これにより導入補助器具の先端が側枝血管の入口から外れると、ガイドワイヤ等を狭窄部内に押し進めることが困難となるため、例えば特許文献３に記載されているように、上述の湾曲部の一部と導入血管の内壁を接触させて反力を受けることができるようにする方法も利用されている。
【先行技術文献】
【特許文献】
【０００５】
【特許文献１】特開２００３−３２５６７１号公報
【特許文献２】特開２００９−２２４３２号公報
【特許文献３】特開２００６−３２６２２６号公報
【発明の概要】
【発明が解決しようとする課題】
【０００６】
従来の導入補助器具では、先端からガイドワイヤ等を延出させるようになっているので、導入血管から分岐する側枝血管にガイドワイヤ等を導入する場合、上述したように、導入補助器具の先端を側枝血管の入口に配置する必要がある。したがって、特許文献２や特許文献３に記載されているような導入補助器具も、先端部に湾曲部を設け、先端を側枝血管の入口へ向けられるようにすることにより、側枝血管へのガイドワイヤ等の導入を可能とさせている。
【０００７】
一方、例えば、大腿動脈に設けた穿刺孔から下行大動脈や上行大動脈に導入補助器具を進める場合、これらから分岐する右腎動脈、左腎動脈、左鎖骨下動脈、左総頚動脈、腕頭動脈、右鎖骨下動脈、右総頚動脈などは、導入補助器具の進行方向に対して導入血管である下行大動脈や上行大動脈から鋭角的に分岐している。特許文献２や特許文献３に記載されているような導入補助器具は、先端部と本体部との間に、先端を側枝血管へ向けるように湾曲させた湾曲部を設けることにより、上記のような側枝血管へのガイドワイヤ等の導入を可能とさせている。しかしながら、特許文献２や特許文献３に記載のような導入補助器具を用いて、導入補助器具の進行方向に対して導入血管から鋭角的に分岐する側枝血管の入口に導入補助器具の先端を向けて配置する又は入口内に挿入することは困難であり、導入補助器具の先端で側枝血管の入口を傷つける恐れがあった。
【０００８】
また、側枝血管の狭窄部位を通過させる際に、ガイドワイヤ等に作用する反力により、導入補助器具の先端が側枝血管の入口から外れることを防止するために、特許文献３に記載されているように、導入補助器具の先端に設けた湾曲部の一部と導入血管を接触させて反力を導入血管の内壁で受けることができるようにしても、導入補助器具の先端から接触点までの距離が長いため、接触点から導入補助器具の先端までの間が撓んで、導入補助器具の先端が側枝血管の入口から外れてしまう可能性がある。この結果、導入補助器具が反力に抗するための十分なバックアップ力（すなわち支持力）をガイドワイヤ等に提供できなくなり、狭窄部へのガイドワイヤ等の挿入が困難となるという問題を生じる。
【０００９】
よって、本発明の目的は、従来技術に存する課題を解決して、導入補助器具を通して側枝管状器官に医療器具を挿入する際に、側枝管状器官の入口の損傷の発生を低減させ且つ十分なバックアップ力を提供できるようにすることにある。
【課題を解決するための手段】
【００１０】
本発明は、上記目的に鑑み、中心軸線に沿って延び且つ導入管状器官内へ挿入される管状体を備え、該管状体の周壁に側孔が設けられており、管状体の側孔を通して前記導入管状器官から分岐する側枝管状器官内へ医療器具を導入させることができる側孔付き導入補助器具であって、前記管状体が、先端部と、本体部と、該先端部と本体部との間に設けられており、第１の湾曲部と前記中心軸線に対して該第１の湾曲部と反対側に湾曲する第２の湾曲部とを含み且つ前記測孔から延出する前記医療器具に対して反力に抗するためのバックアップ力を提供するバックアップ提供部とを有し、前記側孔が前記第１の湾曲部又は前記第２の湾曲部に設けられ、前記第１の湾曲部と前記第２の湾曲部は、前記測孔が前記側枝管状器官の入口に位置するように前記導入管状器官内に前記管状体を配置したときに前記第１の湾曲部と前記第２の湾曲部の両方が前記導入管状器官の内壁と当接する当接箇所を生じるように形成されており、前記測孔が前記第１の湾曲部又は前記第２の湾曲部において前記第１の湾曲部の前記当接箇所と前記第２の湾曲部の前記当接箇所との間に位置するように設けられている側孔付き導入補助器具を提供する。
【００１１】
上記側孔付き導入補助器具では、導入管状器官内へ挿入される管状体の側孔を通して導入管状器官から分岐する側枝管状器官内に医療器具を導入するので、管状体の先端を側枝管状器官の入口へ向けて又は入口内に配置する必要がなく、側孔付き導入補助器具の管状体の先端による側枝管状器官の入口の損傷の発生を抑制することができる。一方、側孔を通して側枝管状器官内へ医療器具を導入するためには、導入管状器官内において管状体の側孔を側枝管状器官の入口に配置する必要がある。管状体内に挿通された医療器具は、湾曲部内における側孔の近傍で湾曲させられて側孔から延出するため、狭窄部などを通過させるときに医療器具の先端に作用する反力が、側孔付近の湾曲部の周壁に伝達されやすくなる。これにより、湾曲部が変形したり移動して側孔の位置ずれを起こすと、側枝管状器官内に医療器具を挿入するのが困難となる。しかしながら、上記側孔付き導入補助器具では、バックアップ提供部に含まれる単数又は複数の湾曲部のうちの少なくとも一つを導入管状器官の内壁に当接させることができる。側孔は、このように導入管状器官の内壁に当接して支持される単数又は複数の湾曲部のうちの一つに設けられており、側孔が導入管状器官の内壁との当接箇所の近くに配置されるので、医療器具に作用する反力が側孔の近傍の管状体の周壁に伝達されても、側孔の位置ずれを起こしにくいと共に、医療器具の挿入時に反力に抗するためのバックアップ力を効果的に提供して、側枝管状器官内に医療器具を前進させることができる。なお、本願において、「側孔を側枝管状器官の入口に配置する」とは、側枝管状器官の入口に面する位置のみならず、当該入口の近傍に側孔を配置することを含むものとする。
【００１２】
側枝管状器官の入口に配置した側孔から延出する医療器具が側枝管状器官内の狭窄部などを通過する際に受ける反力は、側孔付近の湾曲部を側枝管状器官の入口から離れさせるように導入管状導管を横断する方向にバックアップ提供部に作用する。一方、バックアップ提供部に含まれる第１の湾曲部と第２の湾曲部は中心軸線に対して互いに反対側に湾曲しているので、側孔を側枝管状器官の入口に配置した状態で、側孔が設けられている湾曲部と反対側の湾曲部を側枝管状器官と対向する側の導入管状器官の内壁に当接させることができる。したがって、バックアップ提供部が側枝管状器官の入口と対向する側の導入管状器官の内壁によって支持され、側枝管状器官の入口から離れさせるように導入管状導管を横断する方向にバックアップ提供部に作用する反力に対して効果的なバックアップ力を提供して、側孔の位置ずれを抑制することができる。
【００１３】
上記側孔付き導入補助器具では、前記第１の湾曲部が前記第２の湾曲部よりも前記管状体の前記先端側に設けられており、前記側孔が前記第１の湾曲部に設けられていることが好ましい。
【００１６】
また、前記側孔付き導入補助器具は、シースイントロデューサ、ガイディングカテーテル又は狭窄部貫通用カテーテルとすることができる。
【発明の効果】
【００１７】
本発明の側孔付き導入補助器具によれば、医療器具を側枝管状器官内に導入する際に側孔付き導入補助器具の先端を側枝管状器官の入口に配置する必要がなく、側孔付き導入補助器具の先端による側枝管状器官の入口の損傷の発生を低減させることができる。また、側孔が導入管状器官の内壁と当接して支持される湾曲部を含むバックアップ提供部に設けられるので、側孔の位置ずれを起こしにくいと共に、医療器具の挿入時に医療器具に対してバックアップ力を効果的に提供することができる。
【図面の簡単な説明】
【００１８】
【図１】本発明の側孔付き導入補助器具の全体構成図を示す平面図である。
【図２】側孔付き導入補助器具のバックアップ提供部の他の実施形態を示す線図である。
【図３】バックアップ提供部の湾曲部がＳ字形状を有する側孔付き導入補助器具の使用状態を示す説明図である。
【図４】バックアップ提供部の湾曲部がＪ字形状を有する側孔付き導入補助器具の使用状態を示す説明図である。
【図５】バックアップ提供部の湾曲部が螺旋形状を有する側孔付き導入補助器具の使用状態を示す説明図である。
【図６】バックアップ提供部の湾曲部がＳ字形状を有し且つ二つの接触箇所よりも先端部側に側孔が設けられた変形実施形態を示す断面図である。
【図７】バックアップ提供部の湾曲部がＳ字形状を有し且つ一つの接触箇所を生じさせた側孔付き導入補助器具の使用状態を示す断面図である。
【発明を実施するための形態】
【００１９】
以下、図面を参照して、本発明による側孔付き導入補助器具の実施の形態を説明する。
最初に、図１を参照して、本発明による側孔付き導入補助器具１１の全体構成を説明する。導入補助器具１１は、血管などの管状器官内（以下、導入管状器官と記載する。）に挿入され、導入管状器官から分岐する側枝管状器官へガイドワイヤや治療器具などの医療器具２９を導入することを容易にするための器具である。導入管状器官は、例えば、上行大動脈や下行大動脈などであり、側枝管状器官は、例えば、上行大動脈や下行大動脈から分岐する腕頭動脈、右鎖骨下動脈、右総頚動脈、左総頚動脈、左鎖骨下動脈、左腎動脈、右腎動脈などである。しかしながら、これらは例示であり、導入管状器官や側枝管状器官はこれらに限定されるものではない。
【００２０】
以下では、シースイントロデューサを導入補助器具１１の例として、導入補助器具１１を説明する。しかしながら、導入補助器具１１は、医療器具２９を人体などの管状器官内へ導入することを補助するための器具であればシースイントロデューサに限定されるものではなく、例えばガイディングカテーテルや狭窄部貫通用カテーテルなどとすることも可能である。
【００２１】
導入補助器具１１は、中心軸線に沿って延びる管状体１３と、器具本体１５と、器具本体１５から延びる接続チューブ１７と、三方切換弁１９とを備える。管状体１３は、適宜の合成樹脂材料から形成された例えばシースチューブなどの可撓性管である。器具本体１５は、適宜の合成樹脂材料から形成されたシースハブのような概略円筒形状の部材であり、管状体１３の基端部に外嵌固定されている。接続チューブ１７は、適宜の合成樹脂材料から形成されている可撓性管であり、器具本体１５の内部に連通するように器具本体１５に接続されている。接続チューブ１７の自由端部（器具本体１５に接続されている端部と反対側の端部）には、三方切換弁１９が接続されており、レバーの操作により三つのポートのうちの任意の二つを連通させることができるようになっている。このような三方切換弁は周知のものであり、本発明の本質的な特徴とは無関係のものであるので、その構造についての詳しい説明は省略する。
【００２２】
管状体１３は、内部に医療器具２９を挿通することができる内部通路が設けられており、遠位端部に位置する先端部２１と、概略直線形状の本体部２３と、先端部２１と本体部２３との間に設けられたバックアップ提供部２５を有する。バックアップ提供部２５は、単数又は複数の湾曲部２５ａ，２５ｂを有し、単数又は複数の湾曲部２５ａ，２５ｂのうちの一つの周壁に、医療器具２９の通過を許容する側孔２７が設けられている。図１に示されている実施形態では、先端部２１に最も近い側に位置する湾曲部２５ａに側孔２１が設けられている。しかしながら、湾曲部２５ａ以外の湾曲部２５ｂに側孔２７が設けられていてもよく、各湾曲部２５ａ，２５ｂにそれぞれ一つの側孔２７が設けられていてもよい。
【００２３】
バックアップ提供部２５は、側孔２７が側枝管状器官の入口に位置するように導入管状器官内に管状体１３を配置したときにバックアップ提供部２５に含まれる湾曲部２５ａ，２５ｂの少なくとも一つが導入管状器官の内壁と当接する当接箇所を生じるような形状及び寸法に形成されている。すなわち、バックアップ提供部２５の湾曲部２５ａ，２５ｂの形状及び寸法並びに湾曲部２５ａ又は２５ｂにおいて側孔２７が設けられる位置は、管状体１３が挿入される導入管状器官の形状及び寸法並びに導入管状器官における側枝管状器官の入口の位置に応じて、様々に設計され得る。
【００２４】
側孔２７は、器具本体１５から管状体１３内に挿通された医療器具２９を通過させ外部に延出させる機能を果たす。側孔２７の大きさ及び形状は、医療器具２９を通過させることができれば、任意に選択することができ、例えば、短軸方向の長さが医療器具２９の外径よりも大きい長楕円形状とすることができる。
【００２５】
導入補助器具１１では、管状体１３に上述したような側孔２７が設けられているので、側孔２７を側枝管状器官の入口（その近傍を含む）に予め配置して、器具本体１５から管状体１３内に挿通された医療器具２９を側孔２７を通して外部に延出させることにより、医療器具２９を容易に側枝管状器官内に導入させることができる。すなわち、側枝管状器官内への医療器具２９の導入の際に、導入補助器具１１の管状体１３の先端を側枝管状器官の入口へ接近させたり側枝管状器官の入口内に挿入する必要がなく、バックアップ提供部２５の周壁に設けられた側孔２７を側枝管状器官の入口に配置すればよい。したがって、導入補助器具１１を使用すれば、管状体１３の先端により側枝管状器官の入口を損傷させることを抑制できる。また、従来の導入補助器具では、導入管状器官から分岐する側枝管状器官の入口へ管状体の先端を向けるのを容易にするために、導入管状器官に対する側枝管状器官の分岐角度に合せて管状体の先端部を湾曲させることが一般的である。しかしながら、特に導入補助器具の挿入方向に対して導入管状導管が４５°以上の鋭角をなして分岐する側枝管状器官に導入補助器具の先端を向けることができるような湾曲部を形成することは技術的にも導入管状器官の空間的にも困難であった。しかしながら、導入補助器具１１では、上述したように、管状体１３の先端を側枝管状器官の入口へ向ける必要がないので、このような問題が生じない。
【００２６】
また、導入補助器具１１では、管状体１３内に挿通された医療器具２９を側孔２７から外部に延出させるとき、医療器具２９は管状体１３内における側孔２７の近傍で湾曲して側孔２７から延出する。このため、側枝管状器官内において狭窄部などを通過させるときに医療器具２９に反力が作用すると、側枝管状器官の入口へ向けて配置した管状体１３の先端から医療器具２９を延出させる場合と比較して、反力が管状体１３のバックアップ提供部２５の側孔２７の近傍の周壁に伝達されやすく、反力が側孔２７の近傍のバックアップ提供部２５を側枝管状器官の入口から離れさせる方向にバックアップ提供部２５に作用して、側孔２７の位置ずれを生じさせやすくなる。側孔２７の位置ずれが生じると、導入管状器官内で医療器具２９が蛇行することとなるので、付与された医療器具２９を押す力が分散されて医療器具２９の先端に効率的に伝達することができず、反力に抗して医療器具２９を側枝管状器官内に挿入することが困難となる。しかしながら、導入補助器具１１では、側孔２７が設けられているバックアップ提供部２５の湾曲部２５ａ，２５ｂの少なくとも一つを導入管状器官の内壁と当接させて当接箇所を生じさせることができるようになっている。したがって、側孔２７を設けられているバックアップ提供部２５が導入管状器官の内壁によって支持され、医療器具２５が反力を受け、反力が管状体１３の側孔２７の近傍の周壁に伝達されても、反力に抗して側枝管状器官の入口に対する側孔２７の位置ずれを抑制することができる。また、バックアップ提供部２５が導入管状器官の内壁に支持されていることにより、バックアップ提供部２５の変形及び側孔２７の位置ずれが抑制されるので、反力に抗するバックアップ力を医療器具２９に効果的に提供して、側枝管状器官内において医療器具２９を前進させることができる。
【００２７】
なお、導入補助器具１１には、上述したように、側孔２７が設けられており、器具本体１５から管状体１３内に挿通された医療器具２９を側孔２７から外部に延出させることができるので、管状体１３の先端から医療器具２９を延出させる必要がない。したがって、図１に示されているように、導入補助器具１１の管状体１３の先端部２１に、導入補助器具１１を導入管状器官内で案内するための導入補助器具用ガイドワイヤの通過を許容する貫通孔（図示せず）が設けられた先端部材３１を接続してもよい。
【００２８】
導入補助器具用ガイドワイヤの通過を許容する最小限の大きさとなるように先端部材３１の貫通孔の先端開口の直径を定めれば、導入補助器具１１の管状体１３内への体液などの侵入を抑制することが可能となる。これにより、導入補助器具１１の管状体１３の先端部２１が導入管状器官内に位置し且つ側孔２７が導入管状器官外に位置する状態のときに、管状体１３の先端から管状体１３内に例えば体液が侵入し、側孔２７を通して導入管状器官外に逆流することを抑制する効果を奏する。また、外周面が先端側に向かうにつれてテーパ状に細くなる形状を有するように先端部材３１を形成すれば、穿刺孔などを通した導入管状器官の穿刺孔への挿入及び穿刺孔などの拡張を容易にする効果を奏する。
【００２９】
図１に示されている実施形態では、バックアップ提供部２５は、二つの湾曲部２５ａ，２５ｂを含んでおり、湾曲部２５ａと湾曲部２５ｂとが管状体１３の中心軸線に対して互いと反対側に湾曲して概略Ｓ字形状を形成している。しかしながら、バックアップ提供部２５の湾曲部は、導入管状器官の内壁と少なくとも一つの当接箇所で当接させることができるようになっていれば、他の湾曲形状とすることも可能である。例えば、図２（ａ）に示されているバックアップ提供部２５’のように、バックアップ提供部２５’に一つの湾曲部２５ａを設け、湾曲部２５ａが、管状体１３の先端部２１が基端側に向かって延びるような概略Ｊ字形状を有するようにしてもよく、図２（ｂ）に示されているバックアップ提供部２５”のように、バックアップ提供部２５”に設けられた湾曲部２５ａが中心軸線周りに螺旋状に延びる螺旋形状を有するようにしてもよい。また、図１に示されている実施形態では、バックアップ提供部２５に設けられた二つの湾曲部２５ａ，２５ｂのうち先端部２１に近い側の湾曲部２５ａに側孔２７を設けているが、図２（ｃ）に示されているように、先端部２１から遠い側の湾曲部２５ｂに側孔２７を設けてもよい。
【００３０】
次に、図３を参照して、下行大動脈３３から分岐する右腎動脈３５及び左腎動脈３７のうち右腎動脈３５に医療器具２９を導入するときを例に、導入補助器具１１の使用方法を説明する。
【００３１】
まず、セルジンガー法などで、穿刺針を用いて下行大動脈３３（導入管状器官）内の右腎動脈３５の入口付近に先端が到達するまで下行大動脈３３内に導入補助器具用ガイドワイヤ（図示せず）を挿入する。次に、導入補助器具１１の先端（遠位端部）に接続された先端部材３１の貫通孔を通して管状体１３内に導入補助器具用ガイドワイヤの基端部を挿入することにより、導入補助器具用ガイドワイヤに沿って下行大動脈３３内に導入補助器具１１の管状体１３を挿入する。下行大動脈３３から分岐する右腎動脈３５の入口付近に管状体１３の側孔２７が位置するように導入補助器具１１を下行大動脈３３内に留置すると、導入補助器具１１から導入補助器具用ガイドワイヤを抜去する。導入補助器具１１の器具本体１５の基端部や接続チューブ１７の自由端部には逆流防止弁や三方切換弁が設けられているので、管状体１３の側孔２７まで下行大動脈３３内に挿入された状態で下行大動脈３３内に導入補助器具１１を留置したままであっても、側孔２７から管状体１３の内腔内に侵入した血液が体外に流出することを防止することができる。また、導入補助器具用ガイドワイヤの通過を許容する最小限の大きさとなるように先端部材３１の貫通孔の先端開口の直径が定められていれば、導入補助器具１１の挿入時に、導入補助器具１１の管状体１３の先端部２１が血管内に位置する一方で側孔２７が血管外に位置する状態となったときでも、管状体１３の先端部２１から管状体１３内に血液が侵入し、側孔２７を通して血管外に逆流することを抑制することができる。
【００３２】
管状体１３は導入補助器具用ガイドワイヤよりも柔軟であるため、導入補助器具用ガイドワイヤに沿って下行大動脈３３内に導入補助器具１１を挿入する際、導入補助器具用ガイドワイヤが導入補助器具１１の管状体１３内に挿通された状態になると、バックアップ提供部２５の湾曲部２５ａ，２５ｂは直線状に近い形態となる。したがって、下行大動脈３３内において導入補助器具１１を円滑に移動させることが可能となる。一方、右腎動脈３５の入口付近に側孔２７が配置されるように導入補助器具１１を下行大動脈３３内に留置した後に、導入補助器具１１から導入補助器具用ガイドワイヤを抜去すると、バックアップ提供部２５の湾曲部２５ａ，２５ｂが湾曲形状を回復し、図３に示されているように、右腎動脈３５の入口付近にバックアップ提供部２５の側孔２７が位置する状態で、湾曲部２５ａ，２５ｂを下行大動脈３３の内壁に当接させることができる。なお、バックアップ提供部２５の側孔２７が右腎動脈３５の入口付近に位置するように下行大動脈３３内に管状体１３のバックアップ提供部２５を配置したときにバックアップ提供部２５の湾曲部２５ａ，２５ｂの両方が下行大動脈３３の内壁と当接する箇所を生じるようにバックアップ提供部２５が形成されているものとする。
【００３３】
概略Ｓ字形状をなす二つの湾曲部２５ａ，２５ｂの両方が下行大動脈３３の内壁に当接するとき、バックアップ提供部２５は湾曲部２５ａ，２５ｂを下行大動脈３３の内壁の互いに対向する側に押し付けた状態となる。したがって、右腎動脈３５の入口付近に管状体１３の側孔２７が位置する状態で、バックアップ提供部２５が下行大動脈３３内に確実に係留され、これにより、バックアップ提供部２５に外部から力が作用しても、バックアップ提供部２５に設けられた側孔２７の位置ずれを抑制することが可能となる。
【００３４】
次に、導入補助器具１１の器具本体１５の基端部に設けられた逆流防止弁（図示せず）を通して、医療器具２９としての治療器具用ガイドワイヤを導入補助器具１１の管状体１３の内部通路内に挿通して、側孔２７から右腎動脈３５の入口へ向かって延出させ、さらに先端が病変部位を越えるまで押し進める。病変部位に狭窄部があり狭窄部を通過させる際に治療器具用ガイドワイヤの先端部に反力が作用しても、下行大動脈３３の内壁に当接して支持されたバックアップ提供部２５の側孔２７の近傍の周壁がバックアップ力を提供するため、押す力を治療器具用ガイドワイヤの先端に効率的に伝達し、治療器具用ガイドワイヤの狭窄部の通過が容易になる。
【００３５】
次に、別の医療器具２９としての治療器具の先端に治療器具用ガイドワイヤの基端部を挿入し、導入補助器具１１の器具本体１５の基端部に設けられた逆流防止弁を通して導入補助器具１１の管状体１３内に治療器具を挿通する。さらに、治療器具用ガイドワイヤに沿って、導入補助器具１１の管状体１３内で治療器具を押し進めて、側孔２７を通して右腎動脈３５内に導入し、病変部位の治療を行う。病変部位の狭窄部を通過する際に反力が治療器具に作用しても、治療器具用ガイドワイヤの場合と同様に、下行大動脈３３の内壁に当接して支持されたバックアップ提供部２５の側孔２７の近傍の周壁がバックアップ力を提供するため、押し込み力を治療器具の先端に効率的に伝達し、治療器具の狭窄部の通過が容易になる。
【００３６】
図３に示されている使用方法では、導入補助器具１１は、バックアップ提供部２５が湾曲部２５ａ，２５ｂを下行大動脈３３の内壁の互いに対向する側に押し付けた状態となっており、右腎動脈３５の入口付近に管状体１３の側孔２７が位置する状態で、バックアップ提供部２５が下行大動脈３３内に確実に係留される。したがって、病変部位の狭窄部を通過する際に反力が治療器具用ガイドワイヤや治療器具のような医療器具２９に作用し、バックアップ提供部２５の側孔２７の近傍の周壁に伝達されても、側孔２７の位置ずれを抑制することができるので、医療器具２９に付与した押し込み力を医療器具２９の先端に効率的に伝達させることができる。また、バックアップ提供部２５が下行大動脈３３内に係留されていることにより、反力に抗するバックアップ力を医療器具２９に効果的に提供して、右腎動脈３５において狭窄部を通過させて医療器具２９を前進させることができる。
【００３７】
また、図３に示されているように側孔２７が湾曲部２５ａと下行大動脈３３の内壁との当接箇所の近くに設けられていれば、湾曲部２５ａは押し付けられた状態で下行大動脈３３の内壁と当接しているので、医療器具２９に作用した反力により湾曲部２５ａが変形しても移動量が小さくなり位置ずれを生じにくい。さらに、図３に示されているように、湾曲部２５ａと下行大動脈３３の内壁との当接箇所と湾曲部２５と下行大動脈３３の内壁との当接箇所との間に側孔２７が設けられている場合、二つの当接箇所の間の部分は、両端部が下行大動脈３３の内壁に当接して支持されており、例えば湾曲部２５ａの当接箇所よりも先端部２１に近い側の片持ち状態の部分と比較して、外部からの力に抗して変形が低減されるので、当該部分に設けられた側孔２７の位置ずれをさらに抑制する効果を奏することができる。この結果、医療器具２９に付与した押し込み力を医療器具２９の先端に効率的に伝達させることができる効果と、反力に抗するバックアップ力を医療器具２９に提供する効果をさらに向上させることができる。
【００３８】
図１に示されている導入補助器具１１のバックアップ提供部２５に代えて、図２（ａ）〜（ｃ）に示されているバックアップ提供部２５’，２５”，２５を使用する場合も、導入管状器官内におけるバックアップ提供部２５，２５’，２５”の配置方法を除いて、図１に示されている導入補助器具１１の使用方法と同様である。したがって、以下では、図１に示されている導入補助器具１１のバックアップ提供部２５と配置方法が異なる図２（ａ）及び図２（ｂ）に示されているバックアップ提供部２５’，２５”を使用する導入補助器具１１の導入管状器官内における配置方法について説明する。
【００３９】
図２（ａ）に示されているバックアップ提供部２５’は、例えば、下行大動脈３３と上行大動脈３９との間に延びる大動脈弓４１から分岐する腕頚動脈４３、右鎖骨下動脈４５、右総頚動脈４７、左総頚動脈４９、左鎖骨下動脈５１などに医療器具２９を導入するときの使用に適している。ここでは、左総頚動脈４９に医療器具２９を導入するときを例に、図２（ａ）に示されているバックアアップ提供部２５’の配置方法を説明する。
【００４０】
管状体１３のバックアップ提供部２５’の概略Ｊ字形状の湾曲部２５ａは、バックアップ提供部２５’の側孔２７が左総頚動脈４９の入口付近に位置するように大動脈弓４１内に配置されたときに大動脈弓４１に合せて湾曲し且つ側孔２７の遠位側及び近位側において大動脈弓４１（これに隣接する下行大動脈３３及び上行大動脈３９を含む）の内壁と当接する当接箇所５３，５５を生じるような形状及び寸法に予め形成されている。大動脈弓４１内に到達するまで予め挿入されている導入補助器具用ガイドワイヤ（図示せず）に沿って、図２（ａ）に示されているバックアップ提供部２５’を使用する導入補助器具１１の管状体１３を大動脈弓４１内に挿入して、バックアップ提供部２５’に設けられた側孔２７が左総頚動脈４９の入口付近に位置するように配置する。次に、導入補助器具１１から導入補助器具用ガイドワイヤを抜去すると、図４に示されているように、左総頚動脈４９の入口付近にバックアップ提供部２５’の側孔２７が位置する状態で、左総頚動脈４９の入口と同じ側の左総頚動脈４９の入口の遠位側及び近位側に位置する当接箇所５３，５５において湾曲部２５ａを大動脈弓４１の内壁と当接させることができる。
【００４１】
側孔２７が大動脈弓４１内において左総頚動脈４９の入口付近に位置する状態で、左総頚動脈４９の入口の遠位側及び近位側に位置する当接箇所５３，５５において概略Ｊ字形状の湾曲部２５ａを大動脈弓４１の内壁と当接させると、図４に示されているように、バックアップ提供部２５’が左総頚動脈４９側の大動脈弓４１の内壁に湾曲部２５ａを押し付けた状態となる。これにより、バックアップ提供部２５’の湾曲部２５ａの側孔２７の前後両側部分が左総頚動脈４９側の大動脈弓４１の内壁に押し付けられて支持される。したがって、病変部位の狭窄部を通過する際に反力が医療器具２９に作用し、左総頚動脈４９の入口から離れさせる方向にバックアップ提供部２５の側孔２７の近傍の周壁に伝達されても、側孔２７の位置ずれを抑制すると共に、反力に抗するバックアップ力を提供することができる。
【００４２】
図２（ｂ）に示されているバックアップ提供部２５”は、例えば、下行大動脈３３から分岐する右腎動脈３５及び左腎動脈３７などに医療器具２９を導入するときの使用に適している。ここでは、右腎動脈３５に医療器具２９を導入するときを例に、図２（ｂ）に示されているバックアップ提供部２５”の配置方法を説明する。
【００４３】
管状体１３のバックアップ提供部２５”の螺旋形状の湾曲部２５ａは、バックアップ提供部２５”の側孔２７が右腎動脈３５の入口付近に位置するように下行大動脈３３内に配置されたときに螺旋形状の湾曲部２５ａを行大動脈３３の中心軸線周りに３６０°以上にわたって下行大動脈３３の内壁と当接する当接箇所を生じるような寸法に予め形成されている。下行大動脈３３の右腎動脈３５の入口を越える位置に到達するまで予め挿入されている導入補助器具用ガイドワイヤ（図示せず）に沿って、図２（ｂ）に示されているバックアップ提供部２５”を使用する導入補助器具１１の管状体１３を下行大動脈３３内に挿入して、バックアップ提供部２５”に設けられた側孔２７が右腎動脈３５の入口付近に位置するように配置させる。次に、導入補助器具１１から導入補助器具用ガイドワイヤを抜去すると、図５に示されているように、右腎動脈３５の入口付近にバックアップ提供部２５”の側孔２７が位置する状態で、湾曲部２５ａを下行大動脈３３の中心軸線周りに３６０°以上にわたって右腎動脈３５の入口付近の下行大動脈３３の内壁と当接させることができる。
【００４４】
なお、図２（ｂ）に示されているバックアップ提供部２５”は、湾曲部２５ａのほぼ全体を下行大動脈３３（導入管状器官）と当接させるので、下行大動脈３３の内壁と対面する向き（すなわち螺旋形状の湾曲部２５ａの径方向外向き）に側孔２７を設けると、側孔２７が下行大動脈３３の内壁によって閉鎖される可能性がある。したがって、側孔２７は、図５に示されているように、下行大動脈３３の中心軸線方向に向いた湾曲部２５ａの周壁部分に設けられることが好ましい。
【００４５】
側孔２７が下行大動脈３３内において右腎動脈３５の入口付近に位置する状態で、螺旋形状の湾曲部２５ａを右腎動脈３５の入口付近の下行大動脈３３の内壁と当接させると、バックアップ提供部２５”が下行大動脈３３の内壁に湾曲部２５ａを押し付けた状態となる。これにより、バックアップ提供部２５”の湾曲部２５ａの側孔２７が設けられている部分を含む湾曲部２５ａのほぼ全体が右腎動脈３５の入口の周辺の下行大動脈３３の内壁に押し付けられて支持される。したがって、湾曲部２５ａに外力が作用しても湾曲部２５ａの移動又は変形が抑制され、側孔２７の位置ずれを抑制することができる。さらに、湾曲部２５ａが下行大動脈３３の中心軸線周りに３６０°以上にわたって下行大動脈３３の内壁と当接しており、右腎動脈３５の入口と対向する下行大動脈３３の内壁とも当接して支持されているので、病変部位の狭窄部を通過する際に反力が医療器具２９に作用し、右腎動脈３５の入口から離れさせる方向にバックアップ提供部２５”の側孔２７の近傍の周壁に伝達されても、反力に抗するバックアップ力を提供することができる。
【００４６】
図２（ｃ）に示されているバックアップ提供部２５は、図１に示されているバックアップ提供部２５では二つの湾曲部２５ａ，２５ｂのうちの先端部２１に近い側の湾曲部２５ａに側孔２７が設けられているのに対して、側孔２７が先端部２１から近い側の湾曲部２５ａ以外の湾曲部２５ｂに設けられている点を除き、図１に示されているバックアップ提供部２５と同じ構成であり、図１に示されているバックアップ提供部２５の場合と同様に、側孔２７を側枝管状導管の入口付近に配置すればよく、図１に示されているバックアップ提供部２５と効果も同様であるので、ここでは説明を省略する。
【００４７】
以上、図示されている実施形態を参照して、本発明による側孔付き導入補助器具１１を説明したが、本発明は図示されている実施形態に限定されるものではない。例えば、図１に示されている実施形態では、概略Ｓ字形状をなす二つの湾曲部２５ａ，２５ｂが当接箇所を生じる部分の間に側孔２７が設けられているが、側孔２７は湾曲部２５ａ，２５ｂの何れかに設けられていればよく、例えば図６に示されているように、概略Ｓ字形状をなす二つの湾曲部２５ａ，２５ｂのうちの先端部２１に近い側の湾曲部２５ａにおいて当接箇所よりも先端部２１に近い位置に側孔２７を設けてもよい。この場合、側孔２７が設けられている部分が片持ち支持状態となり、図１に示されている実施形態と比較すると側孔２７の位置ずれを生じやすくなるが、少なくとも湾曲部２５ａを硬質の材料により形成することにことにより、位置ずれを抑制することが可能である。また、図１に示されている実施形態では、概略Ｓ字形状をなす二つの湾曲部２５ａ，２５ｂの両方が導入管状器官の内壁と当接箇所を生じるように配置されているが、例えば、図７に示されているように、側孔２７が設けられた湾曲部２５ｂと管状体１３の中心軸線に対して反対側に湾曲した湾曲部２５ａのみを導入管状器官に当接させ、側孔２７が設けられた湾曲部２５ｂを導入管状導管の内壁と当接させなくてもよい。この場合でも、医療器具２９に作用する反力により、側孔２７の近傍の湾曲部２５ｂを側枝管状器官の入口から離れさせる方向に力が作用しても、湾曲部２５ａが側枝管状器官の入口と対向する側の導入管状器官の内壁と当接箇所を生じているので、反力に抗して側孔２７の移動を抑制すると共に、バックアップ力を提供することができる。また、先端部材３１も必須の構成ではなく、図７に示されているように、先端部材３１が管状体１３の先端部２１に接続されていなくてもよい。
【符号の説明】
【００４８】
１１    導入補助器具
１３    管状体
２１    先端部
２３    本体部
２５    バックアップ提供部
２５ａ，２５ｂ    湾曲部
２７    側孔
２９    医療器具
５３，５５    当接箇所
【図１】
0005977291.tif 000002
【図２】
0005977291.tif 000003
【図３】
0005977291.tif 000004
【図４】
0005977291.tif 000005
【図５】
0005977291.tif 000006
【図６】
0005977291.tif 000007
【図７】
0005977291.tif 000008